(57)【要約】【課題】プラズマディスプレイパネルとシャーシ部材とを確実かつ安定的に接着・保持すると共に、それらを分離する時にも極めて容易に分離することができると同時に、プラズマディスプレイパネルで発生する熱を、シャーシ部材を介して極めて有効に放熱し、画像品質の向上と安定的な動作とを併せて保障する。【解決手段】少なくとも前面側が透明な一対の基板を基板間に複数の放電セルを形成して対向配置した平板形状のプラズマディスプレイパネルと、プラズマディスプレイパネルを支えるシャーシ部材とを有するプラズマディスプレイ装置において、プラズマディスプレイパネルとシャーシ部材との間に配置された延伸剥離式の接着材によって、プラズマディスプレイパネルとシャーシ部材とを確実かつ安定的に接着・保持すると共に、プラズマディスプレイパネルで発生する熱を、シャーシ部材を介して極めて有効に放熱する。【選択図】図１
2007079098.tif 000002
【特許請求の範囲】
【請求項１】
少なくとも前面側が透明な一対の基板を基板間に複数の放電セルを形成して対向配置した平板形状のプラズマディスプレイパネルと、
前記プラズマディスプレイパネルを支えるシャーシ部材と、
前記プラズマディスプレイパネルと前記シャーシ部材との間に配置された延伸剥離式の接着材と、
を備えたことを特徴とするプラズマディスプレイ装置。
【請求項２】
前記接着材は放熱フィラーを含有していることを特徴とする請求項１に記載のプラズマディスプレイ装置。
【請求項３】
前記接着材は液状のものを塗布して硬化されたものである請求項１に記載のプラズマディスプレイ装置。
【請求項４】
少なくとも前面側が透明な一対の基板を基板間に複数の放電セルを形成して対向配置した平板形状のプラズマディスプレイパネルと、
前記プラズマディスプレイパネルを支えるシャーシ部材と、
前記プラズマディスプレイパネルに接して配置された熱伝導シートと、
前記熱伝導シートと前記シャーシ部材との間に配置された延伸剥離式の接着材と、
を備えたことを特徴とするプラズマディスプレイ装置。
【請求項５】
前記熱伝導シートはグラファイトまたはアルミ合金である請求項４に記載のプラズマディスプレイ装置。
【発明の詳細な説明】
【技術分野】
【０００１】
本発明は、平面型表示装置としてのプラズマディスプレイ装置に関するものである。
【背景技術】
【０００２】
従来、この種のプラズマディスプレイ装置は、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
まず、プラズマディスプレイ装置におけるプラズマディスプレイパネルの構造について図４を用いて説明する。図４に示すように、ガラス基板などの透明な前面側の基板７０１上には、スキャン電極とサステイン電極とで対をなすストライプ状の表示電極７０２が複数列形成され、そしてその電極群を覆うように誘電体層７０３が形成され、その誘電体層７０３上には保護膜７０４が形成されている。
【０００６】
また、前記前面側の基板７０１に対向配置される背面側の基板７０５上には、スキャン電極およびサステイン電極からなる表示電極７０２と交差するように、オーバーコート層７０６で覆われた複数列のストライプ状のアドレス電極７０７が形成されている。このアドレス電極７０７間のオーバーコート層７０６上には、アドレス電極７０７と平行に複数の隔壁７０８が配置され、この隔壁７０８間の側面およびオーバーコート層７０６の表面に蛍光体層７０９が設けられている。
【０００７】
これらの基板７０１と基板７０５とは、スキャン電極およびサステイン電極からなる表示電極７０２とアドレス電極７０７とがほぼ直交するように、微小な放電空間７１０を挟んで対向配置されるとともに、周囲が封止され、そして前記放電空間７１０には、ヘリウム、ネオン、アルゴン、キセノンのうちの一種または混合ガスが放電ガスとして封入されている。
【０００８】
また、放電空間７１０には、隔壁７０８によって複数の区画に仕切ることにより、表示電極７０２とアドレス電極７０７との交点に位置する複数の放電セルが設けられ、その各放電セルには、赤色、緑色および青色となるように蛍光体層７０９が一色ずつ順次配置されている。
【０００９】
図５に、このプラズマディスプレイパネルの電極配列の概要を模式的に示す。図５に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【００１０】
このような電極構成のプラズマディスプレイパネルにおいては、アドレス電極とスキャン電極との間に書き込みパルスを印加することにより、アドレス電極とスキャン電極との間でアドレス放電を行い、放電セルを選択した後、スキャン電極とサステイン電極との間に、交互に反転する周期的な維持パルスを印加することになり、スキャン電極とサステイン電極との間で維持放電を行い、所定の表示を行うものである。
【００１１】
図６に、上記説明した構造のプラズマディスプレイパネルを組み込んだプラズマディスプレイ装置の全体構成の一例を示している。図６において、プラズマディスプレイパネル７１１を収容する筐体は、前面枠７１２と金属製のバックカバー７１３とから構成され、前面枠７１２の開口部には光学フィルターおよびプラズマディスプレイパネル７１１の保護を兼ねたガラス等からなる前面カバー７１４が配置されている。また、この前面カバー７１４には電磁波の不要輻射を抑制するために、例えば銀蒸着が施されている。さらに、バックカバー７１３には、プラズマディスプレイパネル７１１等で発生した熱を外部に放出するための複数の通気孔７１３ａが設けられている。
【００１２】
プラズマディスプレイパネル７１１は、アルミニウム等からなるシャーシ部材７１５の前面に熱伝導シート７１６を介して接着することにより保持され、そしてシャーシ部材７１５の後面側には、プラズマディスプレイパネル７１１を表示駆動させるための複数の回路ブロック７１７が取り付けられている。熱伝導シート７１６は、プラズマディスプレイパネル７１１で発生した熱をシャーシ部材７１５に伝えるとともに、パネルの温度分布を均一化するためのものである。また、回路ブロック７１７はプラズマディスプレイパネル７１１の表示駆動とその制御を行うための電気回路を備えており、プラズマディスプレイパネル７１１の縁部に引き出された電極引出部に、シャーシ部材７１５の四辺の縁部を越えて延びる複数のフレキシブル配線板（図示せず）によって電気的に接続されている。
【００１３】
シャーシ部材７１５の後面には、回路ブロック７１７を取り付けたり、バックカバー７１３を固定するためのボス部７１５ａがダイカスト等による一体成型により突設されている。なお、このシャーシ部材７１５は、アルミニウム平板に固定ピンを固定して構成してもよい。
【００１４】
このように、プラズマディスプレイパネル７１１とシャーシ部材７１５との間に熱伝導シート７１６を挟み、これらを密着させて両面テープ７１８等で接着・保持する、プラズマディスプレイ装置の製造方法等は、例えば下記特許文献１に記載されている。
【特許文献１】特開２００３−２９６６２号公報
【発明の開示】
【発明が解決しようとする課題】
【００１５】
しかしながら、このようにして、プラズマディスプレイパネル７１１とシャーシ部材７１５との間に熱伝導シート７１６を挟み、これらを密着させて両面テープ７１８等で接着・保持する、プラズマディスプレイ装置の製造方法等では、必ずしもプラズマディスプレイパネル７１１とシャーシ部材７１５との保持を安定的かつ確実に行うことができないという課題があった。さらに、プラズマディスプレイ装置の解体や修理、調整、その他の事情によってプラズマディスプレイパネル７１１とシャーシ部材７１５とを分離しなければならなくなった時には、その分離が極めて困難で、多くの工数を必要とし、しかも分離した時に、プラズマディスプレイパネル７１１やシャーシ部材７１５に糊材が残ってしまうという課題をも有していた。
【００１６】
本発明はこのような課題を解決するために行われたもので、プラズマディスプレイパネルとシャーシ部材とを確実かつ安定的に接着・保持すると共に、それらを分離する時にも極めて容易に分離することのできる、プラズマディスプレイ装置を提供することを目的とするものである。
【課題を解決するための手段】
【００１７】
本発明の請求項１に記載の発明は、少なくとも前面側が透明な一対の基板を基板間に複数の放電セルを形成して対向配置した平板形状のプラズマディスプレイパネルと、前記プラズマディスプレイパネルを支えるシャーシ部材と、前記プラズマディスプレイパネルと前記シャーシ部材との間に配置された延伸剥離式の接着材と、を備えたことを特徴とするプラズマディスプレイ装置である。
【００１８】
このような構成をとることによって、プラズマディスプレイパネルとシャーシ部材とを確実かつ安定的に接着・保持すると共に、それらを分離する時にも極めて容易に分離することのできる、プラズマディスプレイ装置を提供することが可能になる。
【００１９】
本発明の請求項２に記載の発明は、前記接着材は放熱フィラーを含有していることを特徴とし、このような構成をとることによって、プラズマディスプレイパネルで発生する熱を、シャーシ部材を介して極めて有効に放熱し、画像品質の向上と安定的な動作とを併せて保障することが可能になる。
【００２０】
また、本発明の請求項３に記載の発明は、前記接着材は液状のものを塗布して硬化したものであり、このような構成をとることによって、接着材を均質にかつ少ない工数で塗布することが可能になる。
【００２１】
また、本発明の請求項４に記載の発明は、少なくとも前面側が透明な一対の基板を基板間に複数の放電セルを形成して対向配置した平板形状のプラズマディスプレイパネルと、前記プラズマディスプレイパネルを支えるシャーシ部材と、前記プラズマディスプレイパネルに接して配置された熱伝導シートと、前記熱伝導シートと前記シャーシ部材との間に配置された延伸剥離式の接着材と、を備えたことを特徴とするプラズマディスプレイ装置である。
【００２２】
このような構成をとることによって、プラズマディスプレイパネルとシャーシ部材とを確実かつ安定的に接着・保持すると共に、それらを分離する時にも極めて容易に分離することができると同時に、プラズマディスプレイパネルで発生する熱を、シャーシ部材を介して極めて有効に放熱し、画像品質の向上と安定的な動作とを併せて保障することが可能になる。
【００２３】
本発明の請求項５に記載の発明は、前記熱伝導シートはグラファイトまたはアルミ合金であることを特徴とし、このような構成をとることによって、プラズマディスプレイパネルで発生する熱の放熱性能をより一層向上することが可能になる。
【発明の効果】
【００２４】
本発明によれば、プラズマディスプレイパネルとシャーシ部材とを確実かつ安定的に接着・保持すると共に、それらを分離する時にも極めて作業が簡単であるプラズマディスプレイ装置を提供することが可能になる。
【発明を実施するための最良の形態】
【００２５】
（第１の実施の形態）
以下に、本発明の第１の実施の形態について、図を参照しながら説明する。
【００２６】
図１は、本発明に係るプラズマディスプレイ装置の第１の実施の形態における、プラズマディスプレイパネル１０１と、アルミダイカスト製、またはアルミ平板を成形加工したシャーシ部材１０５とを、延伸剥離式の複数の短冊形状の接着材１０９を挟んで接着させた状態を示す図である。この図は、プラズマディスプレイ装置を上方から見た図であり、プラズマディスプレイパネル１０１は、前面基板１０１ａと背面基板１０１ｂとを貼り合わせた構造をしており、前面基板１０１ａは透明で、この２枚の基板（１０１ａと１０１ｂ）の間に放電セルが構成される。
【００２７】
延伸剥離式の短冊形状の接着材１０９は、熱伝導性が良好なアクリル系、シリコン系の合成樹脂材料により構成され、伸縮性に富み、感圧接着層を有するもので、フックやハンガー等の物体を壁に着脱自在に装着する場合等、広範囲のさまざまな用途に使用されている。延伸剥離式の短冊形状の接着材１０９は、液状シリコンやポスター用テープで構成されることもあり、弾性に富んだ基材の両面に感圧接着層を形成したものや、感圧接着層のみで構成されることもある。
【００２８】
また、この延伸剥離式の短冊形状の接着材１０９に、放熱フィラーを含有させることで、より一層熱伝導性を向上させることができる。放熱フィラーには、例えばシリカ、各種のアルミナ（破砕アルミナ、角取りアルミナ、球状アルミナなど）、窒化ホウ素、マグネシア、窒化アルミニウム、窒化ケイ素などを使用することができる。また、この延伸剥離式の短冊形状の接着材１０９は、液状のものをプラズマディスプレイパネル１０１またはシャーシ部材１０５に塗布し、圧力や温度などを加えることによって硬化させることで、プラズマディスプレイパネル１０１とシャーシ部材１０５との間に挟んで接着させることができる。
【００２９】
図２は、延伸剥離式の複数の短冊形状の接着材１０９を間に挟んで接着させた状態を示す図である。
【００３０】
延伸剥離式の短冊形状の接着材１０９は、その短冊形状の一端方向から引っ張ることで、短冊形状の幅方向に歪みが発生し、この歪みによって接着力が大幅に減少するので、容易に剥離することができ、さらに、剥離した後には、糊材が残ることもないので、プラズマディスプレイ装置の解体や修理、調整、その他の事情によってプラズマディスプレイパネル１０１とシャーシ部材１０５とを分離しなければならなくなった時には、その分離が極めて容易で、極めて少ない工数しか必要としない。しかも分離した時に、プラズマディスプレイパネル１０１やシャーシ部材１０５に糊材が残ることもないという優れた特徴を有している。
【００３１】
また、接着材１０９は、短冊形状であることは必ずしも必要でなく、その他の種々の形状であっても構わないし、図２に示すように縦方向に平行かつ等間隔に配置することも必要でなく、横方向、斜め方向、円弧状、その他のどのような形状、方向に配置されても構わない。図２に示す接着材１０９の数、幅、長さ、間隔などは、あくまで一例に過ぎず、図２に示すものに限るものではない。
【００３２】
（第２の実施の形態）
以下に、本発明の第２の実施の形態について、図を参照しながら説明する。
【００３３】
図３は、本発明に係るプラズマディスプレイ装置の第２の実施の形態における、プラズマディスプレイパネル３０１と、アルミダイカスト製、またはアルミ平板を成形加工したシャーシ部材３０５とを、熱伝導シート３０６および延伸剥離式の複数の短冊形状の接着材３０９を挟んで接着させた状態を示す図である。
【００３４】
この図３も図１と同じく、プラズマディスプレイ装置を上方から見た図であり、プラズマディスプレイパネル３０１は、前面基板３０１ａと背面基板３０１ｂとを貼り合わせた構造をしており、前面基板３０１ａは透明で、この２枚の基板（３０１ａと３０１ｂ）の間に放電セルが構成される。
【００３５】
本発明の第２の実施の形態においては、図３に示すように、プラズマディスプレイパネル３０１とシャーシ部材３０５の間に、プラズマディスプレイパネル３０１に密着して熱伝道シート３０６が配置され、この熱伝導シート３０６とシャーシ部材３０５とを接着するために、熱伝導シートとシャーシ部材３０５との間に、延伸剥離式の複数の短冊形状の接着材３０９が配置されている。この延伸剥離式の短冊形状の接着材３０９は、上記第１の実施の形態における接着材１０９と同様、その短冊形状の一端方向から引っ張ることで、短冊形状の幅方向に歪みが発生し、この歪みによって接着力が大幅に減少するので、容易に剥離することができるものである。また、接着材３０９は、短冊形状であることは必ずしも必要でなく、その他の種々の形状であっても構わないし、図３に示すように縦方向に平行かつ等間隔に配置することも必要でなく、横方向、斜め方向、円弧状、その他のどのような形状、方向に配置されても構わない。図３に示す接着材３０９の数、幅、長さ、間隔などは、あくまで一例に過ぎず、図３に示すものに限るものではない。
【００３６】
このような構成によって、プラズマディスプレイパネル３０１とシャーシ部材３０５とを確実かつ安定的に接着・保持すると同時に、それらを分離する時にも極めて容易に分離することができ、プラズマディスプレイ装置の解体や修理、調整、その他の事情によってプラズマディスプレイパネル３０１とシャーシ部材３０５とを分離しなければならなくなった時にも、その分離が極めて容易で、極めて少ない工数しか必要としない。
【００３７】
なお、この熱伝導シート３０６には、例えばグラファイトや各種のアルミ合金などを使用することができ、極めて低コストで入手しやすい材料で、なおかつ、高い放熱効果を実現することが可能になる。
【産業上の利用可能性】
【００３８】
本発明によれば、プラズマディスプレイパネルとシャーシ部材とを確実かつ安定的に接着・保持すると共に、それらを分離する時にも極めて容易に分離することのできる、プラズマディスプレイ装置を提供することが可能になり、その産業上の利用可能性は極めて高い。
【図面の簡単な説明】
【００３９】
【図１】本発明に係るプラズマディスプレイ装置の第１の実施の形態におけるプラズマディスプレイパネルとシャーシ部材とを接着させた状態の断面図
【図２】本発明に係るプラズマディスプレイ装置の第１の実施の形態におけるプラズマディスプレイパネルとシャーシ部材とを接着させた状態の正面図
【図３】本発明に係るプラズマディスプレイ装置の第２の実施の形態におけるプラズマディスプレイパネルとシャーシ部材とを接着させた状態の断面図
【図４】従来のプラズマディスプレイ装置におけるプラズマディスプレイパネルの構造を示す概略図
【図５】従来のプラズマディスプレイ装置におけるプラズマディスプレイパネルの電極配列の概要を模式的に示す図
【図６】従来のプラズマディスプレイパネルを組み込んだプラズマディスプレイ装置の全体構成の一例を示す分解斜視図
【図７】従来のプラズマディスプレイ装置におけるプラズマディスプレイパネルとシャーシ部材とを接着させた状態の断面図
【符号の説明】
【００４０】
１０１，３０１，７１１    プラズマディスプレイパネル
１０１ａ，３０１ａ，７０１    前面基板
１０１ｂ，３０１ｂ，７０５    背面基板
１０５，３０５，７１５    シャーシ部材
１０５ａ，３０５ａ，７１５ａ    ボス部
１０９，３０９    接着材
３０６，７１６    熱伝導シート
７０２    表示電極
７０３    誘電体層
７０４    保護膜
７０６    オーバーコート層
７０７    アドレス電極
７０８    隔壁
７０９    蛍光体層
７１０    放電空間
７１２    前面枠
７１３    バックカバー
７１３ａ    通気孔
７１４    前面カバー
７１７    回路ブロック
７１８    両面テープ
【図１】
2007079098.tif 000003
【図２】
2007079098.tif 000004
【図３】
2007079098.tif 000005
【図４】
2007079098.tif 000006
【図５】
2007079098.tif 000007
【図６】
2007079098.tif 000008
【図７】
2007079098.tif 000009